(57)【特許請求の範囲】
【請求項１】
車両用ドアを構成するドアトリムであって、
車室内の側壁をなす意匠面を有するトリム本体部と、
長手状の内装部品であって、前記意匠面の車両前後方向における中央部と重なる位置において車両前後方向にその長手方向を沿わせる姿勢で前記トリム本体部の前記意匠面側に配される内装部品と、を備え、
前記内装部品は、前記トリム本体部に向かって突出する取付突部を介して前記トリム本体部に対して取り付けられ、
前記トリム本体部には、前記取付突部が挿通される貫通孔が形成されるとともに、前記内装部品に対して車両側突時に車室内外方向に荷重が入力された際に、前記貫通孔に挿通された前記取付突部が前記トリム本体部に対してその荷重入力方向に相対移動することを許容する移動許容部が設けられ、
前記移動許容部は、前記取付突部が前記トリム本体部に対して前記意匠面の前記中央部側に向かって相対移動することを許容する構成とされ、
前記移動許容部及び前記貫通孔は、互いに連通して形成された長孔とされ、
前記長孔は、前記貫通孔から前記トリム本体部における前記意匠面の前記中央部に向かって延びる形で形成されていることを特徴とする車両用内装材。
【請求項２】
前記取付突部は、前記長孔における前記意匠面の前記中央部から遠い側の位置で前記長孔に対して挿通されるとともに前記長孔の孔縁に係止されていることを特徴とする請求項１に記載の車両用内装材。
【請求項３】
前記取付突部は、前記内装部品の長手方向に沿って複数設けられ、
前記内装部品は、前記意匠面の車両前後方向における前記中央部と重なる部分が、複数の前記取付突部のうち、前記内装部品の長手方向における一端部側に配された前記取付突部と他端部側に配された前記取付突部との間の位置に設定され、
複数の前記取付突部のうち、前記中央部と重なる部分より前記一端部側に配設された前記取付突部は、前記長孔における前記一端部側の位置で前記長孔に対して挿通されるとともに前記長孔の孔縁に係止される一方、前記中央部と重なる部分より前記他端部側に配設された前記取付突部は、前記長孔における前記他端部側の位置で前記長孔に対して挿通されるとともに前記長孔の孔縁に係止されていることを特徴とする請求項１又は請求項２に記載の車両用内装材。
【発明の詳細な説明】
【技術分野】
【０００１】
本発明は、車両用内装材に関する。
【背景技術】
【０００２】
従来、車両用内装材として、下記特許文献１に記載のものが知られている。特許文献１に記載の車両用内装材では、加飾部材（内装部品）には、ビス挿通孔が形成された取付突部が突設されており、取付突部がアッパーボードおよびミドルボード（トリム本体部）にビス止めされることにより、加飾部品がアッパーボードおよびミドルボードの車室内側に取り付けられる構成とされている。そして、取付突部には、特許文献１の図５から図７に示されるように、加飾部材の裏面に連なるリブが設けられることが記載されている。
【先行技術文献】
【特許文献】
【０００３】
【特許文献１】特開２０１０−２６４８３５号公報
【発明の概要】
【発明が解決しようとする課題】
【０００４】
ところで、車両用内装材は、車両が車両上下方向に延設されたポール等に衝突する際に、当該ポール等と対向する部分が車室内側に侵入することにより、水平方向において車室内側に屈曲する形で、局所的な変形を生じる場合がある。このような場合に、上記のような構成においては、内装部品がトリム本体部の車室内側、すなわち、車両用内装材の屈曲形状において、トリム本体部に対して周の外側に位置することとなり、内装部品とトリム本体部との間に周長差が発生することとなる。ここで、取付突部は、内装部品に対して設けられているから、内装部品とトリム本体部との周長差に起因して、取付突部に対してトリム本体部から車室外側に向かって力が掛かることが想定される。そして、トリム本体部から取付突部に掛かる力の大きさによっては、取付突部が、例えば、その根元で折れる等して、内装部品が破損する事態の発生が懸念される。
【０００５】
取付突部が破損する事態の発生を抑制するための対策として、取付突部の剛性を高めることが考えられる。具体的には、取付突部と内装部品に連なるリブを更に追加したり、リブの板厚を大きくしたりする対策が考えられる。しかしながら、そのような対策では、当該リブを設けたことにより、内装部品の意匠面にヒケが発生し易くなることが懸念される。また、別の対策として、内装部品の材質を剛性の高いものとする対策も考えられる。しかしながら、そのような対策では、内装部品に採用することができる材料がその剛性によって制限され、内装部品で実現可能とされる意匠が制限されることが懸念される。
【０００６】
本発明は上記のような事情に基づいて完成されたものであって、内装部品の意匠性を損なうことなく、取付突部が破損する事態の発生を抑制可能な車両用内装材を提供することを目的とする。
【課題を解決するための手段】
【０００７】
上記課題を解決するために、本発明の車両用内装材は、車室内の側壁をなす意匠面を有するトリム本体部と、長手状の内装部品であって、水平方向にその長手方向を沿わせる姿勢で前記トリム本体部の前記意匠面側に配される内装部品と、を備え、前記内装部品には、前記トリム本体部に向かって突出するとともに前記トリム本体部に対して取り付けられる取付突部が設けられ、前記トリム本体部には、前記取付突部が挿通される貫通孔が形成されるとともに、前記内装部品に対して車室内外方向に荷重が入力された際に、前記貫通孔に挿通された前記取付突部が前記トリム本体部に対してその荷重入力方向に相対移動することを許容する移動許容部が設けられている。
【０００８】
本発明によれば、トリム本体部に移動許容部が設けられているから、車両衝突時等において取付突部がトリム本体部に対してその荷重入力方向に相対移動することにより、トリム本体部から取付突部に掛かる力を低減することができる。このため、内装部品に対して車室内外方向に荷重が入力された際に、内装部品が破損する事態の発生を抑制することができる。
【０００９】
上記構成において、前記内装部品は、荷重入力時に屈曲変形することが予定される屈曲予定部を有し、前記移動許容部は、前記取付突部が前記トリム本体に対して前記屈曲予定部側に向かって相対移動することを許容する構成とされていてもよい。
【００１０】
このような構成によれば、屈曲予定部が屈曲変形して、トリム本体部と内装部品との間に周長差が生じる場合であっても、好適に、当該周長差を吸収することができ、トリム本体部から取付突部に掛かる力を低減することができる。
【００１１】
上記構成において、前記移動許容部及び前記貫通孔は、互いに連通して形成された長孔とされ、前記長孔は、前記トリム本体部における前記屈曲予定部と重なる位置に向かって延びる形で形成されているものであってもよい。
【００１２】
このような構成によれば、取付突部が長孔内を移動する態様でトリム本体に対して屈曲予定部側に向かって相対移動するものとすることができ、移動許容部及び貫通孔において取付突部が移動することを妨げるものがない。このため、好適に、トリム本体部から取付突部に掛かる力を低減することができる。
【００１３】
上記構成において、前記取付突部は、前記長孔における前記屈曲予定部から遠い側の位置で前記長孔に対して挿通されるとともに前記長孔の孔縁に係止されているものであってもよい。
【００１４】
このような構成によれば、取付突部が長孔における屈曲予定部から遠い側の孔縁に係止されるものとすることができ、例えば、取付突部が屈曲予定部から遠い側の孔縁に係止されない構成に比べて、移動許容部を設けたことに起因して、取付突部がトリム本体部に係止される係止力が低下することを抑制することができる。
【００１５】
上記構成において、前記取付突部は、前記内装部品の長手方向に沿って複数設けられ、前記屈曲予定部は、複数の前記取付突部のうち、前記内装部品の長手方向における一端部側に配された前記取付突部と他端部側に配された前記取付突部との間の位置に設定され、複数の前記取付突部のうち、前記屈曲予定部より前記一端部側に配設された前記取付突部は、前記長孔における前記一端部側の位置で前記長孔に対して挿通されるとともに前記長孔の孔縁に係止される一方、前記屈曲予定部より前記他端部側に配設された前記取付突部は、前記長孔における前記他端部側の位置で前記長孔に対して挿通されるとともに前記長孔の孔縁に係止されているものであってもよい。
【００１６】
このような構成によれば、屈曲予定部が屈曲変形して内装部品とトリム本体部との間で周長差が生じる場合であっても、屈曲予定部の両側で当該周長差を吸収することができ、好適である。
【発明の効果】
【００１７】
本発明によれば、内装部品が破損する事態の発生を抑制可能な車両用内装材を提供することができる。
【図面の簡単な説明】
【００１８】
【図１】本発明の実施形態１及び実施形態２に係る車両用内装材を示す斜視図
【図２】実施形態１のドアトリムを示す斜視図
【図３】内装部品とトリム本体部を示すドアトリムの一部断面図（図２のＩＩＩ−ＩＩＩ線で切断した図に対応）
【図４】図３の車両側突時における内装部品とトリム本体部の変形態様の一例を示すドアトリムの一部断面図
【図５】図３のトリム本体部を裏側から視た平面図
【図６】本発明の実施形態３に係るドアトリムを示す斜視図
【図７】図６のトリム本体部を裏側から視た平面図
【図８】本発明の実施形態４に係るトリム本体部を裏側から視た平面図
【発明を実施するための形態】
【００１９】
＜実施形態１＞
本発明の実施形態１を図１ないし図５によって説明する。実施形態１では、車両１０に設けられた車両用内装材の一例であるドアトリム２０を例示する。なお、図１及び図２における左側を車両前方とし、右側を車両後方とするとともに、図１及び図２における上側を車両上方とし、下側を車両下方として説明する。
【００２０】
車両用ドア１１は、図１に示すように、座席側方に位置して、車両のサイドドアとして使用されるものである。車両用ドア１１は、インナパネル１２（図３参照）及びアウタパネル（図示せず）から構成される車両パネルに対して、ドアトリム２０が車室内側から取り付けられることで構成されている。
【００２１】
ドアトリム２０は、板状をなすトリムボード２１（トリム本体部）を主体に構成されている。トリムボード２１は、例えばポリプロピレン等の合成樹脂材料などによって構成されている。なお、トリムボード２１の材質は、合成樹脂材料に限定されず、例えば、木質系材料と合成樹脂を混合したものなどを用いてもよい。また、後述するトリムボード２１を構成する各ボード部２２〜２４の表面には、必要に応じて、天然皮革や合成皮革等の皮革や、織物、編物、不織布等の布帛等からなる表皮材が貼り付けられてもよい。
【００２２】
トリムボード２１は、図２に示すように、複数の部分に分割可能な構成となっている。具体的には、トリムボード２１は、アッパーボード部２２と、アームレストボード部２３と、ロアボード部２４とを備え、これらのボード部２２〜２４が互いに組付けられたものからなる。なお、トリムボード２１は、他にオーナメント等を備える構成であってもよい。
【００２３】
アッパーボード部２２は、トリムボード２１の上部を構成し、ロアボード部２４は、トリムボード２１におけるアッパーボード部２２より下側の大部分を構成する。アッパーボード部２２には、その下側にロアボード部２４と後述する内装部品４０が取り付けられる取付座部３０が設けられている。
【００２４】
取付座部３０は、アッパーボード部２２のうち後述する意匠面２１Ａを構成する部分の下端から車室外側に向かって立ち上がるとともに、その立ち上がり端から車両下側に向かって延びる座面を有する。取付座部３０には、その座面に後述する貫通孔３１の下側にロアボード部２４が公知の手法で組み付けられるロアボード取付孔（不図示）が形成されている。
【００２５】
取付座部３０には、図３に示すように、その座面に取付突部４２が挿通される貫通孔３１が形成されている。貫通孔３１は、複数の取付突部４２の各々をそれぞれ挿通する構成とされ、取付突部４２の位置と整合する位置（車室内外方向における取付突部４２と重なる位置）に配されるとともに、取付突部４２の外形とほぼ同じ大きさ及び形状（取付突部４２に対してはめあい公差を有する形状）に形成されている。取付座部３０には、貫通孔３１と連通する形で移動許容部３２が設けられている。なお、移動許容部３２に係る構成、及び、取付突部４２が貫通孔３１に挿通され、内装部品４０がトリムボード２１に対して取り付けられる取付構成については後に説明する。
【００２６】
ロアボード部２４には、図２に示すように、その一部が車室内側に向かって膨出する形でアームレスト２３Ａが設けられている。アームレスト２３Ａは、ドアトリム２０の車両上下方向における略中央部に配され、車両前後方向に沿って延びている。アームレストボード部２３は、アームレスト２３Ａの車両後側を構成し、その上面が乗員の肘掛けとして使用される。アームレスト２３Ａにおける、アームレストボード部２３の前方には、スイッチベース（不図示）を取り付けるための貫通孔状の取付孔１３が設けられている。また、ロアボード部２４には、図２に示すように、インサイドハンドル１４、スピーカグリル１５、ドアポケット１６等が設けられている。
【００２７】
トリムボード２１は、図１に示すように、車室内の側壁をなす意匠面２１Ａを有している。トリムボード２１のうち意匠面２１Ａを構成する部分は、ドアパネル（インナパネル１２）と対向状をなし（図３参照）、車両側突時等において、車室外側からドアパネル（インナパネル１２）を介して入力される荷重を受ける部分とされる。
【００２８】
意匠面２１Ａは、図２に示すように、車両上下方向に沿って延在している。本実施形態では、意匠面２１Ａは、車両上下方向かつ車両前後方向に沿って延在しており、その横方向（車両上下方向と直交する方向）が水平方向、すなわち車両前後方向と一致している。意匠面２１Ａは、その上部がアッパーボード部２２で構成されるとともに、その下部がロアボード部２４で構成されている。このような構成により、意匠面２１Ａには、アッパーボード部２２とロアボード部２４の境界部２１Ｂが、車両前後方向に沿って延びている。より詳しくは、境界部２１Ｂは、車両前方ではロアボード部２４が車両上方に突き出す形で、また、車両後方ではアッパーボード部２２が車両下方に突き出す形で緩やかに湾曲しつつ、車両前後方向に沿って延びている。境界部２１Ｂの中央部（ロアボード部２４とアッパーボード部２２のそれぞれ突き出した部分の間）には、内装部品４０が配設されている。
【００２９】
内装部品４０は、図２に示すように、長手状をなし、水平方向（意匠面２１Ａの横方向、車両前後方向）にその長手方向を沿わせる姿勢でトリムボード２１の意匠面２１Ａ側に配されている。内装部品４０は、その長さ寸法が意匠面２１Ａの横方向（車両前後方向）における寸法以下であって、意匠面２１Ａの横方向における寸法の１／３以上の寸法とされており、好ましくは１／２以上の寸法とされており、更に好ましくは２／３以上の寸法とされている。内装部品４０の長さ寸法が上述の所定の長さ以上とされる構成においては、ドアトリム２０の意匠性を優れたものとすることができる一方、ドアトリム２０に局所的な変形が生じた場合に、意匠面２１Ａと内装部品４０との周長差がより一層大きくなり易く、本願構成が特に好適である。
【００３０】
内装部品４０は、意匠面２１Ａにおける横方向（車両前後方向）における略中央部に配されている。なお、意匠面２１Ａにおける中央部は、比較的剛性の高い構造物であるピラー（本実施形態では、フロントピラー及びセンターピラー）の間に配される部分であり、ドアトリム２０において車両側突時等に屈曲変形しやすい部分と言える。また、内装部品４０は、アームレスト２３Ａの上方において、アームレスト２３Ａの延設方向にその長手方向を沿わせる姿勢で配されている。言い換えれば、内装部品４０は、ドアトリム２０の車室内側に配される座席に着座した着座者の胸部と対向する位置から車両前方に延びる姿勢で配されている。このような構成においては、内装部品４０の衝撃吸収性能を高めることにより、車両側突時等における着座者への傷害値を効果的に低減することができる。
【００３１】
内装部品４０は、図３に示すように、加飾された長手状のパネル部４１と、パネル部４１の裏面（車室外側の面）からトリムボード２１に向かって突出するとともにトリムボード２１に対して取り付けられる取付突部４２とを備えている。取付突部４２には、パネル部４１の裏面に連なるとともに、車両前後方向及び車両上下方向に延びる十字状の補強リブ４３が設けられている。内装部品４０は、合成樹脂製とされ、パネル部４１と、取付突部４２と、補強リブ４３とが一体的に形成されている。
【００３２】
取付突部４２は、図３に示すように、円筒状をなし、内側にビス４５が締結される中空部を有する。また、取付突部４２は、内装部品４０（パネル部４１）の長手方向に沿って複数（本実施形態では５つ）設けられている。複数の取付突部４２は、それぞれ貫通孔３１に挿通されるとともに、車室外側からビス４５が締結されることで、貫通孔３１の孔縁にビス４５を介して間接的に係止されている。なお、複数の取付突部４２のうち、中央に配されている取付突部４２を、取付突部４２Ａと称するとともに、取付突部４２Ａに隣接して車両前方と車両後方に配される取付突部４２，４２をそれぞれ取付突部４２Ｂ，４２Ｃと称し、車両前端と車両後端に配される取付突部４２，４２をそれぞれ取付突部４２Ｄ，４２Ｅと称する。
【００３３】
続いて、移動許容部３２に係る構成について説明する。
ドアトリム２０には、例えば、車両が車両上下方向に延設されたポール等に側面衝突して、図４に示すように、局所的な変形が生じる場合がある。この際、トリムボード２１と内装部品４０の各々には、車室内外方向における車室内側に向けて荷重が入力され、それぞれ変形する。
【００３４】
内装部品４０は、その長手方向を水平方向、すなわち、意匠面２１Ａの横方向（車両前後方向）に沿わせる姿勢で配されている構成上、荷重入力時に屈曲変形することが予定される屈曲予定部４７を有する。屈曲予定部４７は、複数の取付突部４２のうち、内装部品４０の長手方向における車両前側（一端部側）に配された取付突部４２Ｄと車両後側（他端部側）に配された取付突部４２Ｅとの間の位置に設定されている。具体的には、本実施形態では、屈曲予定部４７は、取付突部４２Ａが配される位置に設定されている。
【００３５】
屈曲予定部４７としては、内装部品４０の長手方向における中央部や、内装部品４０のうちドアトリム２０の中央部と重なる部分等、本来的に屈曲変形が生じ易い部分を例示することができる。また、屈曲予定部４７としては、内装部品４０とトリムボード２１との係止力が他の係止箇所より高い部分（本実施形態における、取付突部４２Ａに係る構成）や、内装部品のうち他の部分より弱体化された部分等、内装部品４０の他の部分に比べて屈曲変形が促進される構成を有する部分を例示することができる。さらに、別の態様の屈曲予定部としては、内装部品のうちその車室内側の座席に座る着座者と対向する部分、特に、着座者の頭部、胸部、腹部等と対向する部分等、車両衝突時において、内装部品における衝撃吸収性能が着座者へ与える影響が大きいと考えられる部分を例示することができる。
【００３６】
移動許容部３２は、図３及び図４に示すように、内装部品４０に対して車室内外方向に荷重が入力された際に、貫通孔３１に挿通された取付突部４２がトリムボード２１に対してその荷重入力方向に相対移動することを許容する構成とされている。本実施形態では、移動許容部３２は、内装部品４０に対して車室内側に向けて荷重が入力された場合に、取付突部４２がトリムボード２１に対して屈曲予定部４７側に向かって相対移動することを許容する構成とされている。
【００３７】
移動許容部３２は、図５に示すように、内装部品４０の中央部（屈曲予定部４７）に配された取付突部４２Ａに対して設定されておらず、取付突部４２Ａ以外の取付突部４２Ｂ〜４２Ｅに対して設定されている。具体的には、取付突部４２Ａが挿通される貫通孔３１は、略円形をなす一方、取付突部４２Ｂ〜４２Ｅが挿通される貫通孔３１は、それぞれ移動許容部３２と連通して形成された長孔３３Ｂ〜３３Ｅとされている。なお、以下の説明においては、長孔３３Ｂ〜３３Ｅを総称して、長孔３３と称する。
【００３８】
長孔３３は、図５に示すように、貫通孔３１がトリムボード２１における屈曲予定部４７と重なる位置に向かって延びる形で形成されている。言い換えれば、長孔３３は、長手状をなす内装部品４０の内側に向かって延びる形で形成されている。さらに言い換えれば、長孔３３Ｂ〜３３Ｅは、屈曲予定部４７の両側において、長孔３３Ｄ，３３Ｂが車両後側に、長孔３３Ｅ，３３Ｃが車両前側にそれぞれ延びる形、すなわち互いに反対側に延びる形で形成されている。一方、長孔３３は、貫通孔３１がトリムボード２１における屈曲予定部４７と重なる位置とは反対側に延びていない形とされる。すなわち、長孔３３は、貫通孔３１がトリムボード２１における屈曲予定部４７と重なる位置側にのみ延びる形とされている。
【００３９】
また、長孔３３Ｂ〜３３Ｅの各々は、屈曲予定部４７から離れるにつれて、貫通孔３１から屈曲予定部４７側に延長される寸法（移動許容部３２の車両前後方向における寸法）が大きくなる構成とされている。具体的には、長孔３３Ｂ，３３Ｃの長さ寸法は互いに略同じに設定され、長孔３３Ｄ，３３Ｅの長さ寸法は互いに略同じに設定されるとともに、長孔３３Ｂ，３３Ｃの長さ寸法より大きく設定されている。
【００４０】
続いて、取付突部４２が貫通孔３１に挿通され、内装部品４０がトリムボード２１に対して取り付けられる取付構成について、図３及び図５を参照して説明する。
取付突部４２のうち中央に配される取付突部４２Ａは、貫通孔３１Ａに挿通されるとともに、貫通孔３１の孔縁にその全周に亘って係止されている。
【００４１】
一方、取付突部４２Ｂ〜４２Ｅは、長孔３３における屈曲予定部４７（取付突部４２Ａ）から遠い側の位置（貫通孔３１に相当する位置）で長孔３３に対して挿通されるとともに長孔３３の孔縁に係止されている。詳しくは、複数の取付突部４２のうち、取付突部４２Ｄ，４２Ｂは、長孔３３Ｄ，３３Ｂにおける車両前側（一端部側）の位置で長孔に対して挿通されるとともに長孔３３Ｄ，３３Ｂの孔縁に係止される一方、取付突部４２Ｅ，４２Ｃは、長孔３３Ｅ，３３Ｃにおける車両後側（他端部側）の位置で長孔３３Ｅ，３３Ｃに対して挿通されるとともに長孔３３Ｅ，３３Ｃの孔縁に係止されている。なお、取付突部４２Ｂ〜４２Ｅは、長孔３３Ｂ〜３３Ｅの孔縁において、屈曲予定部４７側の位置を除く部分、すなわち、車両上側から、屈曲予定部４７から遠い側を経て車両下側に亘るＣ字状に延びる周部に係止されている。
【００４２】
上述のような構成により、内装部品４０は、車両前後方向について、取付突部４２Ａの外側面が貫通孔３１の前側及び後側の孔縁に当接し、また、取付突部４２Ａより車両前方に配された取付突部４２Ｄ、４２Ｂの外側面が長孔３３Ｄ，３３Ｂの前側の孔縁に当接するとともに、取付突部４２Ａより車両後方に配された取付突部４２Ｅ、４２Ｃの外側面が長孔３３Ｅ，３３Ｃの後側の孔縁に当接する態様で、固定（位置決め）されている。また、内装部品４０は、車両上下方向について、取付突部４２の外側面が貫通孔３１（長孔３３）の上側及び下側の孔縁に当接する態様で、固定（位置決め）されている。さらに、内装部品４０は、車両内外方向について、補強リブ４３の車室外側の面とビス４５の頭部とで貫通孔３１の孔縁を挟む形で、固定（位置決め）されている。
【００４３】
続いて、本実施形態の作用について説明する。
車両１０が車両上下方向に延設された図示しないポール等に側面衝突すると、図４に示すように、インナパネル１２が車室内に侵入する。そして、ドアトリム２０（トリムボード２１および内装部品４０）には、そのポール等と対向する位置に直接または間接的にインナパネル１２から車室内側に向けて荷重が入力され、水平方向（ドアトリム２０の横方向）において車室内側に屈曲する形で、局所的な変形を生じる。この時、内装部品４０は、トリムボード２１の車室内側、すなわち、ドアトリム２０の屈曲形状において、トリムボード２１に対して周の外側に位置することとなり、トリムボード２１との間に周長差が発生することとなる。なお、本実施形態における、屈曲予定部４７（取付突部４２Ａが配される位置）においては、車両前後方向（意匠面２１Ａの横方向）において周長差が問題となることはない。
【００４４】
ここで、比較例１として、移動許容部３２を備えない構成、すなわち、各取付突部４２Ａ〜４２Ｅを挿通する略円形状をなす貫通孔３１のみを備える構成における作用を説明する。比較例１のような構成において、各取付突部４２は、内装部品４０に対して一体的に設けられているから、上述の車両側突時には、内装部品４０とトリムボード２１との周長差に起因して、取付突部４２に対して貫通孔３１の孔縁から（トリムボード２１）から車室外側に向かって力が掛かる。具体的には、取付突部４２Ｄ，４２Ｂにおいては、その車両前方かつ車室外側に向けて、取付突部４２Ｅ，４２Ｃにおいては、その車両後方かつ車室外側に向けて、それぞれ力が掛かることが想定される。そして、その力により、取付突部４２Ｂ〜４２Ｅがその根元で折れて破損したり、取付突部４２Ｂ〜４２Ｅの各々に引っ張られる形で、パネル部４１が破断したりする事態の発生が懸念される。
【００４５】
しかしながら、本実施形態では、各取付突部４２Ｂ〜４２Ｅは、移動許容部３２（長孔３３）内を移動する形で、取付突部４２Ｄ，４２Ｂにおいては、その車両後方かつ車室内側（図４における右下側）に向けて、取付突部４２Ｅ，４２Ｃにおいては、その車両前方かつ車室内側（図４における左下側）に向けて、トリムボード２１に対して相対移動する。一方、取付突部４２Ａは、トリムボード２１に対して相対移動することがなく、この結果、内装部品４０は、他の取付突部４２Ｂ〜４２Ｅの配置される位置に比べて、取付突部４２Ａの配置された位置での屈曲変形が促進される。取付突部４２の移動態様は、取付突部４２Ｂ〜４２Ｅが少なくとも荷重入力方向である車室内側に向けて上記相対移動する。さらに詳しくは、取付突部４２Ｂ〜４２Ｅが、屈曲予定部４７に向けて上記相対移動する。取付突部４２の移動距離は、取付突部４２Ｂ，４２Ｃより屈曲予定部４７から離れた位置にある取付突部４２Ｄ，４２Ｅでより大きいものとされる。すると、移動許容部３２が取付突部４２Ｂ〜４２Ｅを逃がす逃がし空間として機能して、取付突部４２と貫通孔３１の孔縁との干渉が回避、または、干渉する場合であってもそのラップ量が低減される。このような態様により、取付突部４２に対して貫通孔３１の孔縁から（トリムボード２１）から掛かる力を低減することができる。
【００４６】
また、比較例２として、内装部品４０とトリムボード２１との膨張率の差や、内装部品４０の長手方向における各取付突部４２が設けられた位置の誤差を吸収する態様として、貫通孔３１を、例えば長孔状とすることが考えられる。しかしながら、比較例２の構成では、ドアトリム２０の屈曲形状と、長孔の延びる方向との関係が考慮されておらず、貫通孔３１に挿通された取付突部４２がトリムボード２１に対してその荷重入力方向に相対移動して、トリムボード２１と内装部品４０との間の周長差を吸収できるかするか否かが、不明である。すなわち、比較例２のような構成では、取付突部４２に対して貫通孔３１の孔縁から（トリムボード２１）から掛かる力を低減することができるか否かが定かではなく、本願発明の移動許容部３２のように、十分な衝撃吸収性能を発揮することができない。言い換えれば、本実施形態は、内装部品４０に対して車室内外方向に荷重が入力された際に、貫通孔３１に挿通された取付突部４２がトリムボード２１に対してその荷重入力方向に相対移動することを許容する移動許容部３２を設けることにより内装部品４０とトリムボード２１と間の周長差を吸収するという、まったく新しい知見に基づいて着想されたものであり、単なる長孔状の貫通孔等の構成とは相違する。
【００４７】
続いて、本願実施形態の効果について説明する。
本実施形態によれば、トリムボード２１に移動許容部３２が設けられているから、車両衝突時等において取付突部４２Ｂ〜４２Ｅがトリムボード２１に対してその荷重入力方向に相対移動することにより、トリムボード２１から取付突部４２Ｂ〜４２Ｅに掛かる力を低減することができる。このため、内装部品４０に対して車室内外方向に荷重が入力された際に、取付突部４２Ｂ〜４２Ｅが根元で折れたり、パネル部４１が破断したりして、内装部品４０が破損する事態の発生を抑制することができる。
【００４８】
また、本実施形態では、移動許容部３２は、取付突部４２Ｂ〜４２Ｅがトリムボード２１に対して屈曲予定部４７側に向かって相対移動することを許容する構成とされている。このため、屈曲予定部４７が屈曲変形して、トリムボード２１と内装部品４０との周長差が生じる場合であっても、取付突部４２がトリムボード２１に対して屈曲予定部４７側に向かって相対移動することで周長差を吸収することができ、好適に、トリムボード２１から取付突部４２Ｂ〜４２Ｅに掛かる力を低減することができる。
【００４９】
また、本実施形態では、取付突部４２Ｂ〜４２Ｅが長孔３３Ｂ〜３３Ｅ内を移動する態様でトリムボード２１に対して屈曲予定部４７側に向かって相対移動するものとすることができ、移動許容部３２及び貫通孔３１において取付突部４２Ｂ〜４２Ｅが移動することを妨げるものがない。このため、例えば、移動許容部３２を屈曲予定部４７側に向かって延びるスリット状とする場合や、貫通孔３１の孔縁が弱体化（例えば、薄肉化）された構成に比べて、好適に、トリムボード２１から取付突部４２Ｂ〜４２Ｅに掛かる力を低減することができる。
【００５０】
また、本実施形態では、取付突部４２Ｂ〜４２Ｅが長孔３３Ｂ〜３３Ｅにおける屈曲予定部から遠い側の孔縁に係止されるものとすることができ、例えば、取付突部が屈曲予定部から遠い側の孔縁に係止されない構成に比べて、移動許容部３２を設けたことに起因して、取付突部４２Ｂ〜４２Ｅがトリムボード２１に係止される係止力が低下することを抑制することができる。
【００５１】
また、本実施形態では、屈曲予定部４７の両側にそれぞれ配された、取付突部４２Ｄ，４２Ｂと、取付突部４２Ｅ，４２Ｃとの双方に設定されており、屈曲予定部４７が屈曲変形して内装部品４０とトリムボード２１との間で周長差が生じる場合であっても、屈曲予定部４７の両側で当該周長差を吸収することができ、好適である。
【００５２】
さらに、本実施形態では、取付突部４２Ｄ，４２Ｂと、取付突部４２Ｅ，４２Ｃとは、それぞれ、反対側の位置で長孔３３Ｄ，３３Ｂと、長孔３３Ｅ，３３Ｃの孔縁に係止されており、取付突部４２Ｂ〜４２Ｅにより内装部品４０をその長手方向に固定（位置決め）することができる。
【００５３】
＜実施形態２＞
次いで、本発明の実施形態２を、図１を参照しつつ説明する。本実施形態では、車両用内装材として、インストルメントパネル５０を例示する。なお、上記した実施形態と同様の構造、作用及び効果について重複する説明は省略する。
【００５４】
インストルメントパネル５０は、車室内前部に装着されるものであって、トリム本体部１２１と内装部品１４０とを備えている。トリム本体部１２１は、車室内の側壁をなし、車両上下方向に沿って延在する意匠面１２１Ａと、意匠面２１Ａの上端から車両前方延設された上側意匠面５１と、上側意匠面５１に開口する形で設けられたフード部５２と、を備えている。本実施形態では、意匠面１２１Ａは、車両上下方向かつ車幅方向に沿って延在しており、その横方向（車両上下方向と直交する方向）が車幅方向と一致している。
【００５５】
内装部品１４０は、図１に示すように、長手状をなし、水平方向（意匠面１２１Ａの横方向、車幅方向）にその長手方向を沿わせる姿勢でトリム本体部１２１の意匠面１２１Ａ側に配されている。内装部品１４０は、インストルメントパネル５０における助手席側の中央部に配されている。そして、内装部品１４０は、その屈曲予定部１４７が長手方向における中央部であって、助手席に着座した着座者と対向する位置に設定されている。なお、トリム本体部１２１に対する内装部品１４０の取り付けに係る構成は、実施形態１と同様である。
【００５６】
本実施形態によれば、車両が正面衝突した場合であっても、内装部品１４０が破損する事態の発生を抑制することができる。
【００５７】
＜実施形態３＞
次いで、本発明の実施形態３を、図６及び図７を参照しつつ説明する。本実施形態のドアトリム２２０は、上記実施形態１の内装部品４０と、内装部品２４０の配される位置が相違する。なお、上記した実施形態と同様の構造、作用及び効果について重複する説明は省略する。
【００５８】
内装部品２４０は、図６に示すように、意匠面２２１Ａ（境界部２２１Ｂ）における車両前後方向における後側に配されている。言い換えれば、意匠面２２１Ａにおいて屈曲変形しやすい部分である中央部とは重ならない位置に配されており、屈曲予定部４７を有しない構成とされている。一方、内装部品２４０は、その全長に亘ってドアトリム２２０の車室内側に配される座席に着座した着座者と対向する位置に配されている。このような構成においては、内装部品２４０の衝撃吸収性能を高めることにより、車両側突時等における着座者への傷害値を効果的に低減することができる。
【００５９】
移動許容部２３２は、図７に示すように、内装部品２４０に対して車室内外方向に荷重が入力された際に、貫通孔３１に挿通された取付突部４２がトリムボード２１に対してその荷重入力方向に相対移動することを許容する構成とされている。本実施形態では、移動許容部２３２は、内装部品４０に対して車室内側に向けて荷重が入力された場合に、取付突部４２がドアトリム２２０の中央部（ドアトリム２２０において屈曲変形し易い部分）側に向かって相対移動することを許容する構成とされている。
【００６０】
移動許容部２３２は、図７に示すように、全ての取付突部４２対して設定されている。具体的には、各取付突部４２が挿通される貫通孔３１は、それぞれ移動許容部２３２と連通して形成された長孔３３とされている。
【００６１】
長孔３３は、貫通孔３１がドアトリム２２０の中央部側に向かって延びる形で形成されている。一方、長孔３３は、貫通孔３１がドアトリム２０における中央部とは反対側（車両後方）に延びていない形とされる。すなわち、長孔３３は、貫通孔３１がドアトリム２２０における中央部側にのみ延びる形とされている。また、長孔３３の各々は、ドアトリム２２０の中央部から離れるにつれて、貫通孔３１から延長される寸法（移動許容部３２の車両前後方向における寸法）が大きくなる構成とされている。
【００６２】
本実施形態では、トリムボード２２１に移動許容部２３２が設けられているから、全ての取付突部４２がトリムボード２１に対してその荷重入力方向に相対移動することにより、トリムボード２２１から取付突部４２に掛かる力を低減することができる。このため、車両衝突時等において内装部品２４０に対して車室内外方向に荷重が入力された際に、取付突部４２が根元で折れたり、パネル部４１が破断したりして、内装部品２４０が破損する事態の発生を抑制することができる。
【００６３】
＜実施形態４＞
次いで、本発明の実施形態３を、図８を参照しつつ説明する。本実施形態のドアトリム３２０は、上記実施形態１の移動許容部３２と、移動許容部３３２の形状が相違する。なお、上記した実施形態と同様の構造、作用及び効果について重複する説明は省略する。
【００６４】
移動許容部３３２は、内装部品４０の中央部（屈曲予定部４７）に配された取付突部４２Ａに対して設定されておらず、取付突部４２Ａ以外の取付突部４２Ｂ〜４２Ｅに対して設定されている。具体的には、取付突部４２Ａが挿通される貫通孔３１は、略円形をなす一方、取付突部４２Ｂ〜４２Ｅが挿通される貫通孔３１には、スリット状の移動許容部３２が連通する形で設けられている。
【００６５】
移動許容部３３２は、貫通孔３１の孔縁における屈曲予定部４７側の部分を切り欠くようにして、屈曲予定部４７と重なる位置に向かって延びる形で形成されている。なお、移動許容部３３２の延びる方向及び内装部品４０の長手方向における寸法、並びに取付突部４２の移動に係る作用は実施形態１に例示した移動許容部３２と同様である。
【００６６】
本実施形態によれば、移動許容部３３２はスリット状をなすから、移動許容部３３２を設けたことに起因して、取付突部４２Ｂ〜４２Ｅがトリムボード２１に係止される係止力が低下することを、例えば実施形態１に係る構成に比べて抑制することができる。
【００６７】
＜他の実施形態＞
本発明は上記記述及び図面によって説明した実施形態に限定されるものではなく、例えば次のような実施形態も本発明の技術的範囲に含まれる。
【００６８】
（１）上記実施形態では、車両用内装材として、フロントドアを構成するドアトリム及びインストルメントパネルを例示したが、これに限定されない。車両用内装材としては、例えば、バックドアを構成するドアトリム、クォータートリム、ピラーガーニッシュなどを例示することができる。また、車両において、これらの車両用内装材のうち、一の車両用内装材に本発明を適用する構成であってもよく、複数の車両用内装材の各々に本発明を適用する構成であってもよい。
【００６９】
（２）上記実施形態では、移動許容部として、貫通孔と連通する長孔状の構成とスリット状の構成を例示したが、移動許容部の構成はこれに限られない。移動許容部は、例えば、貫通孔の近傍に設けられた別の孔部（ミシン孔状）であってもよく、移動許容部に係る貫通孔の孔縁の部分を他の孔縁の部分より薄肉化する構成であってもよい。
【００７０】
（３）移動許容部が設定される貫通孔及び取付突部の数、位置、形状、寸法は、荷重入力時の車両用内装材の変形態様との関係により適宜設定可能である。
【００７１】
（４）上記実施形態では、取付突部はトリム本体部に対して別部品のビスを介して係止される構成を例示したが、これに限られない。取付突部は、例えば、トリム本体部に対して熱カシメによって係止される構成であってもよい。
【００７２】
（５）上記施形態では、取付突部が複数（５つ）設けられる構成を例示したがこれに限られない。取付突部はひとつであってもよく、または２ないし４つ、６つ以上であってもよく、内装部品４０の形状等に応じて適宜設定可能である。
【符号の説明】
【００７３】
２０，２２０，３２０…ドアトリム（車両用内装材）、２１，２２１…トリムボード（トリム本体部）、２１Ａ，１２１Ａ…意匠面、３１…貫通孔、３２，２３２，３３２…移動許容部、３３…長孔、４０，２４０…内装部品、４２…取付突部、４７…屈曲予定部、５０…インストルメントパネル（車両用内装材）、１２１…トリム本体部
【図１】
0006260827.tif 000002
【図２】
0006260827.tif 000003
【図３】
0006260827.tif 000004
【図４】
0006260827.tif 000005
【図５】
0006260827.tif 000006
【図６】
0006260827.tif 000007
【図７】
0006260827.tif 000008
【図８】
0006260827.tif 000009